(57)【特許請求の範囲】
【請求項１】
映像を表示する表示部と、
光の透過と遮断とを切り換え可能な複数の液晶バリアを有する液晶バリア部と
を備え、
前記液晶バリア部は、
液晶層と、
前記液晶層を挟むように構成された第１の基板および第２の基板と
を有し、
前記第１の基板は、前記液晶バリアに対応する位置にそれぞれ形成された駆動電極を有し、
前記第２の基板は、
第１の共通電極と、
前記第１の共通電極と前記液晶層との間に形成された第２の共通電極と
を有する
表示装置。
【請求項２】
前記液晶バリア部の各液晶バリアを駆動する駆動部を備え、
前記駆動部は、前記第１の共通電極および前記第２の共通電極のうちの、少なくとも第１の共通電極を駆動する
請求項１に記載の表示装置。
【請求項３】
前記駆動部は、前記第２の共通電極をも駆動する
請求項２に記載の表示装置。
【請求項４】
前記第２の共通電極は、前記液晶バリアに対応する位置に複数のスリットを有する
請求項１から請求項３のいずれか一項に記載の表示装置。
【請求項５】
前記液晶バリアは所定の方向に延伸するように形成され、
前記第２の共通電極は、
前記液晶バリアに対応する位置に形成された、前記所定の方向に延伸する幹スリット部分と、
前記幹スリット部分の両側に形成された複数の枝スリット部分と
を有する
請求項４に記載の表示装置。
【請求項６】
前記液晶バリアは所定の方向に延伸するように形成され、
前記第２の共通電極は、
前記液晶バリアに対応する位置に形成された、前記所定の方向に延伸する幹部分と、
前記幹部分の両側に形成された複数の枝部分と
を有し、
前記複数の枝部分が前記複数のスリットを構成する
請求項４に記載の表示装置。
【請求項７】
前記第１の共通電極および前記第２の共通電極の間に配置された絶縁層を
さらに備えた
請求項１から請求項６のいずれか一項に記載の表示装置。
【請求項８】
３次元映像表示モードおよび２次元映像表示モードを有し、
前記複数の液晶バリアは、複数の第１の液晶バリアおよび複数の第２の液晶バリアを有し、
前記３次元映像表示モードでは、前記表示部が複数の異なる視点映像を表示し、前記複数の第１の液晶バリアが透過状態になるとともに、前記複数の第２の液晶バリアが遮断状態になることにより、３次元映像を表示し、
前記２次元映像表示モードでは、前記表示部が１つの視点映像を表示し、前記複数の第１の液晶バリアおよび前記複数の第２の液晶バリアが透過状態になることにより、２次元映像を表示する
請求項１から請求項７のいずれか一項に記載の表示装置。
【請求項９】
前記複数の第１の液晶バリアは、複数のバリアグループにグループ分けされ、
前記３次元映像表示モードでは、前記複数の第１の液晶バリアは、バリアグループごとに、時分割的に透過状態および遮断状態との間で切り換わる
請求項８に記載の表示装置。
【請求項１０】
前記表示部は液晶表示部であり、
バックライトをさらに備え、
前記液晶表示部は、前記バックライトと前記液晶バリア部との間に配置されている
請求項１から請求項９のいずれか一項に記載の表示装置。
【請求項１１】
前記表示部は液晶表示部であり、
バックライトをさらに備え、
前記液晶バリア部は、前記バックライトと前記液晶表示部との間に配置されている
請求項１から請求項９のいずれか一項に記載の表示装置。
【請求項１２】
光の透過と遮断とを切り換え可能な複数の液晶バリアを駆動し、
前記液晶バリアの駆動に同期して映像を表示し、
前記液晶バリアを駆動する際、
前記液晶バリアに対応する位置にそれぞれ形成された複数の駆動電極に駆動信号を印加し、
前記複数の駆動電極に対して液晶層を介して離間して形成された第１の共通電極および前記第１の共通電極と前記液晶層との間に形成された第２の共通電極のうちの、少なくとも前記第１の共通電極に第１の共通信号を印加する
表示装置の駆動方法。
【請求項１３】
さらに、前記第２の共通電極に第２の共通信号を印加する
請求項１２に記載の表示装置の駆動方法。
【請求項１４】
前記第１の共通信号および前記第２の共通信号は、互いに等しい直流電圧を有する直流信号であり、
前記駆動信号は、前記直流電圧を中心電圧とした交流駆動信号である
請求項１３に記載の表示装置の駆動方法。
【請求項１５】
前記第１の共通信号は直流信号であり、
前記駆動信号は、前記共通信号の直流電圧を中心電圧とした交流駆動信号である
請求項１２に記載の表示装置の駆動方法。
【請求項１６】
液晶層と、
前記液晶層を挟むように構成された第１の基板および第２の基板と
を備え、
前記第１の基板は複数の駆動電極を有し、
前記第２の基板は、
第１の共通電極と、
前記第１の共通電極と前記液晶層との間に形成された第２の共通電極と
を有する
バリア装置。
【請求項１７】
第１の基板に複数の駆動電極を形成する工程と、
第２の基板に、第１の共通電極を形成し、その上に前記第１の共通電極と離間して第２の共通電極を形成する工程と、
前記第１の基板と、前記第２の基板の、前記第１の共通電極および前記第２の共通電極が形成された側との間に液晶層を封止する工程と、
少なくとも前記第２の共通電極および前記複数の駆動電極を通じて、前記液晶層に電圧を印加しつつ、前記液晶層を露光することにより、前記液晶層にプレチルトを付与する工程と
を含むバリア装置の製造方法。
【請求項１８】
前記液晶層にプレチルトを付与する工程では、前記第１の共通電極にも、電圧を印加する
請求項１７に記載のバリア装置の製造方法。
【請求項１９】
前記第１の共通電極と前記駆動電極との間の電位差が、前記第２の共通電極と前記駆動電極との間の電位差よりも小さくなるように、前記第１の共通電極および前記第２の共通電極に電圧を印加する
請求項１８に記載のバリア装置の製造方法。
【請求項２０】
前記第１の共通電極の電圧と前記第２の共通電極の電圧が等しい
請求項１８に記載のバリア装置の製造方法。
【発明の詳細な説明】
【技術分野】
【０００１】
本開示は、立体視表示が可能なパララックスバリア方式の表示装置およびその駆動方法、そのような表示装置に用いられるバリア装置およびその製造方法に関する。
【背景技術】
【０００２】
近年、立体視表示を実現できる表示装置が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。
【０００３】
このような表示装置は、専用の眼鏡が必要なものと、不要なものとに大別されるが、観察者にとっては専用の眼鏡は煩わしく感じるものであり、専用の眼鏡が不要なものが望まれている。専用の眼鏡が不要な表示装置としては、例えば、レンチキュラーレンズ方式や、視差バリア（パララックスバリア）方式などがある。これらの方式では、互いに視差がある複数の映像（視点映像）を同時に表示し、表示装置と観察者の視点との相対的な位置関係（角度）によって見える映像が異なるようになっている。例えば、特許文献１には、バリアとして液晶素子を用いた、パララックスバリア方式の表示装置が開示されている。
【０００４】
ところで、液晶表示装置（ＬＣＤ：Liquid Crystal Display）では、例えばＶＡ（Vertical Alignment）モードの液晶がしばしば用いられている。このような液晶表示装置では、液晶分子は、電圧無印加時（オフ状態）にはその長軸方向が基板面に対して垂直な方向に沿った配向となるが、電圧印加時（オン状態）には、その電圧の大きさに応じて液晶分子が倒れた（傾いた）配向となる。よって、電圧無印加の状態において液晶層に電圧が印加され、基板面に垂直に配向していた液晶分子が倒れる際、その倒れる方向が任意であるため、液晶分子の配向が乱れるおそれがある。この場合、このような液晶表示装置では、電圧に対する応答が遅くなってしまう。
【０００５】
そこで、電圧応答時における液晶分子の倒れる方向を規制するために、予め液晶分子を特定の方向に傾けて配列させておく（いわゆるプレチルトを付与する）手法が利用されている。例えば、特許文献２には、画素電極に複数のスリットを設け、対向電極をベタ形成（スリットなし）すると共に、ポリマーにより液晶分子をプレチルト状態に保持するＰＳＡ（Polymer Sustained Alignment）方式が提案されている。このようなプレチルトを用いた手法によれば、液晶分子の電圧に対する応答特性を改善できる。
【先行技術文献】
【特許文献】
【０００６】
【特許文献１】特開平３−１１９８８９号公報
【特許文献２】特開２００２−１０７７３０号公報
【発明の概要】
【発明が解決しようとする課題】
【０００７】
ところで、パララックスバリア方式の表示装置において、液晶素子を用いてバリアを構成した場合でも、そのバリアの応答特性の改善が望まれている。しかしながら、その具体的な方法については、まだ提案されていない。
【０００８】
本開示はかかる問題点に鑑みてなされたもので、その目的は、液晶バリアの応答特性を改善することができる、表示装置およびその駆動方法、ならびにバリア装置およびその製造方法を提供することにある。
【課題を解決するための手段】
【０００９】
本開示の表示装置は、表示部と、液晶バリア部とを備えている。表示部は、映像を表示するものである。液晶バリア部は、光の透過と遮断とを切り換え可能な複数の液晶バリアを有するものである。上記液晶バリア部は、液晶層と、液晶層を挟むように構成された第１の基板および第２の基板とを有し、第１の基板は、液晶バリアに対応する位置にそれぞれ形成された駆動電極を有し、第２の基板は、第１の共通電極と、第１の共通電極と液晶層との間に形成された第２の共通電極とを有するものである。
【００１０】
本開示の表示装置の駆動方法は、光の透過と遮断とを切り換え可能な複数の液晶バリアを駆動し、液晶バリアの駆動に同期して映像を表示し、液晶バリアを駆動する際、液晶バリアに対応する位置にそれぞれ形成された複数の駆動電極に駆動信号を印加し、複数の駆動電極に対して液晶層を介して離間して形成された第１の共通電極および第１の共通電極と液晶層との間に形成された第２の共通電極のうちの、少なくとも第１の共通電極に第１の共通信号を印加するものである。
【００１１】
本開示のバリア装置は、液晶層と、液晶層を挟むように構成された第１の基板および第２の基板とを備えている。第１の基板は複数の駆動電極を有し、第２の基板は、第１の共通電極と、第１の共通電極と液晶層との間に形成された第２の共通電極とを有するものである。
【００１２】
本開示のバリア装置の製造方法は、第１の基板に複数の駆動電極を形成する工程と、第２の基板に、第１の共通電極を形成し、その上に第１の共通電極と離間して第２の共通電極を形成する工程と、第１の基板と、第２の基板の、第１の共通電極および第２の共通電極が形成された側との間に液晶層を封止する工程と、少なくとも第２の共通電極および複数の駆動電極を通じて、液晶層に電圧を印加しつつ、液晶層を露光することにより、液晶層にプレチルトを付与する工程とを含むものである。
【００１３】
本開示の表示装置およびその駆動方法、ならびにバリア装置およびその製造方法では、液晶バリア部の液晶バリアが透過状態になることにより、表示部において表示された映像が観察者に視認される。その際、液晶層の液晶分子は、駆動電極、第１の共通電極、および第２の共通電極の電圧に基づいて制御される。
【発明の効果】
【００１４】
本開示の表示装置およびその駆動方法、バリア装置およびその製造方法によれば、第２の基板に第１の共通電極および第２の共通電極を備えるようにしたので、液晶バリアの応答特性を改善することができる。
【図面の簡単な説明】
【００１５】
【図１】本開示の実施の形態に係る立体表示装置の一構成例を表すブロック図である。
【図２】図１に示した立体表示装置の一構成例を表す説明図である。
【図３】図１に示した表示駆動部および表示部の一構成例を表すブロック図である。
【図４】図１に示した表示部の一構成例を表す説明図である。
【図５】図１に示した液晶バリア部の一構成例を表す説明図である。
【図６】図１に示した液晶バリア部に係る透明電極層の一構成例を表す説明図である。
【図７】図１に示した液晶バリア部に係る液晶分子の配向を表す模式図である。
【図８】図１に示した液晶バリア部のグループ構成例を表す説明図である。
【図９】図１に示した表示部および液晶バリア部の一動作例を表す模式図である。
【図１０】図１に示した表示部および液晶バリア部の一動作例を表す他の模式図である。
【図１１】図１に示した立体表示装置の一動作例を表すタイミング図である。
【図１２】図１に示した液晶バリア部に係る液晶層における等電位分布を表す特性図である。
【図１３】図１に示した液晶バリア部に係る液晶層における液晶分子の配向を表す模式図である。
【図１４】図１に示した液晶バリア部の透過率を表す特性図である。
【図１５】図１に示した液晶バリア部の製造工程を表すフローチャートである。
【図１６】図１に示した液晶バリア部のプレチルト付与工程を表す説明図である。
【図１７】実施の形態の比較例に係る液晶バリア部の一構成例を表す断面図である。
【図１８】実施の形態の比較例に係る液晶バリア部の液晶層における液晶分子の配向を表す模式図である。
【図１９】実施の形態の変形例に係る液晶バリア部における透明電極層の一構成例を表す説明図である。
【図２０】実施の形態の他の変形例に係る液晶バリア部における透明電極層の一構成例を表す説明図である。
【図２１】実施の形態の他の変形例に係る液晶バリア部における透明電極層の一構成例を表す説明図である。
【図２２】実施の形態の他の変形例に係る液晶バリア部における透明電極層の一構成例を表す断面図である。
【図２３】変形例に係る立体表示装置の一構成例を表す説明図である。
【図２４】変形例に係る立体表示装置の一動作例を表す模式図である。
【図２５】他の変形例に係る液晶バリア部の一構成例を表す平面図である。
【図２６】他の変形例に係る表示部および液晶バリア部の一動作例を表す模式図である。
【発明を実施するための形態】
【００１６】
以下、本開示の実施の形態について、図面を参照して詳細に説明する。
【００１７】
［構成例］
（全体構成例）
図１は、実施の形態に係る立体表示装置１の一構成例を表すものである。立体表示装置１は、液晶バリアを用いた、パララックスバリア方式の表示装置である。なお、本開示の実施の形態に係る表示装置の駆動方法、バリア装置、およびバリア装置の製造方法は、本実施の形態により具現化されるので、併せて説明する。立体表示装置１は、制御部４０と、表示駆動部５０と、表示部２０と、バックライト駆動部４２と、バックライト３０と、バリア駆動部４１と、液晶バリア部１０とを備えている。
【００１８】
制御部４０は、外部より供給される映像信号Ｓdispに基づいて、表示駆動部５０、バックライト駆動部４２、およびバリア駆動部４１に対してそれぞれ制御信号を供給し、これらがお互いに同期して動作するように制御する回路である。具体的には、制御部４０は、表示駆動部５０に対して映像信号Ｓdispに基づく映像信号Ｓを供給し、バックライト駆動部４２に対してバックライト制御信号ＣＢＬを供給し、バリア駆動部４１に対してバリア制御信号ＣＢＲを供給するようになっている。ここで、映像信号Ｓは、立体表示装置１が立体視表示を行う場合に、後述するように、それぞれが複数（この例では６つ）の視点映像を含む映像信号ＳＡ，ＳＢから構成されるものである。
【００１９】
表示駆動部５０は、制御部４０から供給される映像信号Ｓに基づいて表示部２０を駆動するものである。表示部２０は、この例では液晶表示部であり、液晶表示素子を駆動して、バックライト３０から射出した光を変調することにより表示を行うようになっている。
【００２０】
バックライト駆動部４２は、制御部４０から供給されるバックライト制御信号ＣＢＬに基づいてバックライト３０を駆動するものである。バックライト３０は、表示部２０に対して面発光した光を射出する機能を有している。バックライト３０は、例えば、ＬＥＤ（Light Emitting Diode）や、ＣＣＦＬ（Cold Cathode Fluorescent Lamp）などを用いて構成されるものである。
【００２１】
バリア駆動部４１は、制御部４０から供給されるバリア制御信号ＣＢＲに基づいてバリア駆動信号ＤＲＶを生成し、液晶バリア部１０に供給するものである。液晶バリア部１０は、バックライト３０から射出し表示部２０を透過した光を透過（開動作）または遮断（閉動作）するものであり、液晶を用いて構成された複数の開閉部１１，１２（後述）を有している。
【００２２】
図２は、立体表示装置１の要部の一構成例を表すものであり、（Ａ）は立体表示装置１の分解斜視構成を示し、（Ｂ）は立体表示装置１の側面図を示す。図２に示したように、立体表示装置１では、これらの各部品は、バックライト３０、表示部２０、および液晶バリア部１０の順に配置されている。つまり、バックライト３０から射出した光は、表示部２０および液晶バリア部１０を介して、観察者に届くようになっている。
【００２３】
（表示駆動部５０および表示部２０）
図３は、表示駆動部５０および表示部２０のブロック図の一例を表すものである。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４０から供給された映像信号Ｓを映像信号Ｓ１としてデータドライバ５３へ供給するものである。ゲートドライバ５２は、タイミング制御部５１によるタイミング制御に従って、表示部２０内の画素Ｐｉｘを行ごとに順次選択して、線順次走査するものである。データドライバ５３は、表示部２０の各画素Ｐｉｘへ、映像信号Ｓ１に基づく画素信号を供給するものである。具体的には、データドライバ５３は、映像信号Ｓ１に基づいてＤ／Ａ（デジタル／アナログ）変換を行うことにより、アナログ信号である画素信号を生成し、各画素Ｐｉｘへ供給するようになっている。
【００２４】
図４は、表示部２０の一構成例を表すものであり、（Ａ）は画素Ｐｉｘの回路図の一例を示し、（Ｂ）は表示部２０の断面構成を示す。
【００２５】
画素Ｐｉｘは、図４（Ａ）に示したように、ＴＦＴ（Thin Film Transistor）素子Ｔｒと、液晶素子ＬＣと、保持容量素子Ｃとを備えている。ＴＦＴ素子Ｔｒは、例えばＭＯＳ−ＦＥＴ（Metal Oxide Semiconductor-Field Effect Transistor）により構成されるものであり、ゲートがゲート線Ｇに接続され、ソースがデータ線Ｄに接続され、ドレインが液晶素子ＬＣの一端と保持容量素子Ｃの一端に接続されている。液晶素子ＬＣは、一端がＴＦＴ素子Ｔｒのドレインに接続され、他端は接地されている。保持容量素子Ｃは、一端がＴＦＴ素子Ｔｒのドレインに接続され、他端は保持容量線Ｃｓに接続されている。ゲート線Ｇはゲートドライバ５２に接続され、データ線Ｄはデータドライバ５３に接続されている。
【００２６】
表示部２０は、図４（Ｂ）に示したように、駆動基板２０７と対向基板２０８との間に、液晶層２０３を封止したものである。駆動基板２０７は、透明基板２０１と、画素電極２０２と、偏光板２０６ａとを有している。透明基板２０１は、上記ＴＦＴ素子Ｔｒを含む画素駆動回路（図示せず）が形成されたものであり、この透明基板２０１上には、画素Ｐｉｘ毎に画素電極２０２が配設されている。そして、透明基板２０１の、画素電極２０２が配設された面とは反対の面には、偏光板２０６ａが貼り付けられている。対向基板２０８は、透明基板２０５と、対向電極２０４と、偏光板２０６ｂとを有している。透明基板２０５には、図示しないカラーフィルタやブラックマトリクスが形成されており、更に液晶層２０３側の面には、対向電極２０４が各画素Ｐｉｘに共通の電極として配設されている。透明基板２０５の、対向電極２０４が配設された面とは反対の面には、偏光板２０６ｂが貼り付けられている。偏光板２０６ａおよび偏光板２０６ｂは、互いにクロスニコルまたはパラレルニコルとなるように貼り合わせられている。
【００２７】
（液晶バリア部１０およびバリア駆動部４１）
図５は、液晶バリア部１０の一構成例を表すものであり、（Ａ）は液晶バリア部１０における開閉部の配置構成を示し、（Ｂ）は（Ａ）の液晶バリア部１０のＶ−Ｖ矢視方向の断面構成を示す。なお、この例では、液晶バリア部１０はノーマリーブラック動作を行うものとする。つまり、液晶バリア部１０は、駆動されていない状態では光を遮断するものとする。
【００２８】
液晶バリア部１０は、いわゆるパララックスバリアであり、図５（Ａ）に示したように、光を透過または遮断する複数の開閉部（液晶バリア）１１，１２を有している。これらの開閉部１１，１２は、立体表示装置１が通常表示（２次元表示）および立体視表示のどちらを行うかにより、異なる動作を行う。具体的には、開閉部１１は、後述するように、通常表示の際には開状態（透過状態）になり、立体視表示を行う際には、閉状態（遮断状態）となるものである。開閉部１２は、後述するように、通常表示の際には開状態（透過状態）、立体視表示の際には、時分割的に開閉動作を行うものである。
【００２９】
これらの開閉部１１および開閉部１２は、この例ではＹ方向に延在して設けられている。この例では、開閉部１１の幅Ｅ１と、開閉部１２の幅Ｅ２とは、互いに異なっており、ここでは例えばＥ１＞Ｅ２となっている。但し、開閉部１１，１２の幅の大小関係はこれに限定されず、Ｅ１＜Ｅ２であってもよく、また、Ｅ１＝Ｅ２であってもよい。このような開閉部１１，１２は、液晶層（後述する液晶層３００）を含んで構成されており、この液晶層３００への駆動電圧によって、開閉が切り替わるようになっている。
【００３０】
液晶バリア部１０は、図５（Ｂ）に示したように、駆動基板３１０と、対向基板３２０との間に液晶層３００を備えたものである。
【００３１】
駆動基板３１０は、透明基板３１１と、透明電極層３１２と、配向膜３１５と、偏光板３１６とを備えている。透明基板３１１は、例えばガラス等から構成されるものであり、その表面には、図示しないＴＦＴが形成されている。そしてその上には、図示しない平坦化膜を介して透明電極層３１２が形成されている。透明電極層３１２は、例えばＩＴＯ（Indium Tin Oxide）等の透明導電膜により構成されている。この透明電極層３１２の上には、配向膜３１５が形成されている。配向膜３１５としては、例えばポリイミドやポリシロキサン等の垂直配向剤が使用可能である。駆動基板３１０の、透明電極層３１２などが形成された面とは反対の面には、偏光板３１６が貼り付けられている。
【００３２】
対向基板３２０は、透明基板３２１と、透明電極層３２２と、絶縁層３２３と、透明電極層３２４と、配向膜３２５と、偏光板３２６とを備えている。透明基板３２１は、透明基板３１１と同様に、例えばガラス等から構成されるものである。この透明基板３２１の上には、透明電極層３２２が形成されている。透明電極層３２２は、全面にわたって一様に形成された電極である。そして、透明電極層３２２の上には、絶縁層３２３が形成されている。絶縁層３２３は、例えば、ＳｉＮにより構成される。その絶縁層３２３の上には、透明電極層３２４が形成されている。透明電極層３２２，３２４は、透明電極層３１２と同様に、例えばＩＴＯ等の透明導電膜により構成されている。透明電極層３２４は、後述するように、全面にわたって一様に形成された電極に、複数のスリットが設けられたものである。そして、透明電極層３２４の上には、配向膜３２５が形成されている。配向膜３２５としては、配向膜３１５と同様に、例えばポリイミドやポリシロキサン等の垂直配向剤が使用可能である。対向基板３２０の、透明電極層３２２，３２４などが形成された面とは反対の面には、偏光板３２６が貼り付けられている。偏光板３１６および偏光板３２６は、互いにクロスニコルになるように貼り合わせられている。具体的には、例えば、偏光板３１６の透過軸は水平方向Ｘに配置され、偏光板３２６の透過軸は垂直方向Ｙに配置されている。
【００３３】
液晶層３００は、例えば、垂直配向型の液晶分子を含むものである。この液晶分子は、例えば長軸および短軸をそれぞれ中心軸として回転対称な形状をなし、負の誘電率異方性（長軸方向における誘電率が短軸方向よりも小さい性質）を示すものである。
【００３４】
透明電極層３１２は、複数の透明電極１１０，１２０を有している。また、透明電極層３２２，３２４は、複数の透明電極１１０，１２０に対応する部分にわたって、いわゆる共通電極として設けられている。これらの透明電極層３２２，３２４には、後述するように、液晶バリア部１０を動作させる場合には、互いに等しい共通電圧Ｖcom（例えば０Ｖの直流電圧）が印加され、液晶バリア部１０の製造時には、互いに異なる電圧が印加されるようになっている。透明電極層３１２の透明電極１１０、透明電極層３２２におけるその透明電極１１０に対応する部分、および透明電極層３２４におけるその透明電極１１０に対応する部分は、開閉部１１を構成している。同様に、透明電極層３１２の透明電極１２０、透明電極層３２２におけるその透明電極１２０に対応する部分、および透明電極層３２４におけるその透明電極１２０に対応する部分は、開閉部１２を構成している。このような構成により、液晶バリア部１０では、透明電極層３２２，３２４に電圧を印加するとともに、透明電極１１０または透明電極１２０に電圧を選択的に印加することにより、液晶層３００がその電圧に応じた液晶配向になり、開閉部１１，１２毎の開閉動作を行うことができるようになっている。
【００３５】
図６は、液晶バリア部１０における透明電極層３１２，３２４の一構成例を表すものであり、（Ａ）は、透明電極層３１２における透明電極１１０，１２０および透明電極層３２４の一構成例を示し、（Ｂ）は（Ａ）に示したＶＩ−ＶＩ矢視方向における液晶バリア部１０の断面構成を示す。
【００３６】
透明電極１１０，１２０は、開閉部１１，１２の延伸方向と同じ方向（垂直方向Ｙ）に延伸して形成されている。そして、透明電極層３２４には、透明電極１１０，１２０に対応する部分において、透明電極１１０，１２０の延伸方向に沿って複数のスリット領域７０が並設されている。各スリット領域７０は、幹スリット６１，６２と、枝スリット６３とを有している。幹スリット６１は、透明電極１１０，１２０の延伸方向と同じ方向（垂直方向Ｙ）に延伸するように形成され、幹スリット６２は、この幹スリット６１と交差する方向（この例では水平方向Ｘ）に延伸するように形成されている。各スリット領域７０には、幹スリット６１および幹スリット６２により区切られた４つのサブスリット領域（ドメイン）７１〜７４が設けられている。
【００３７】
枝スリット６３は、各サブスリット領域７１〜７４において、幹スリット６１，６２から延びるように形成されている。枝スリット６３のスリット幅は、サブスリット領域７１〜７４において互いに等しくなっており、同様に、枝スリット６３の間隔も、これらのサブスリット領域７１〜７４において互いに等しくなっている。サブスリット領域７１〜７４の枝スリット６３は、各領域内において同じ方向に延伸している。サブスリット領域７１の枝スリット６３の延伸方向と、サブスリット領域７３の枝スリット６３の延伸方向とは、垂直方向Ｙを軸として対称になっており、同様に、サブスリット領域７２の枝スリット６３の延伸方向と、サブスリット領域７４の枝スリット６３の延伸方向とは、垂直方向Ｙを軸として対称になっている。また、サブスリット領域７１の枝スリット６３の延伸方向と、サブスリット領域７２の枝スリット６３の延伸方向とは、水平方向Ｘを軸として対称になっており、同様に、サブスリット領域７３の枝スリット６３の延伸方向と、サブスリット領域７４の枝スリット６３の延伸方向とは、水平方向Ｘを軸として対称になっている。この例では、具体的には、サブスリット領域７１，７４の枝スリット６３は、水平方向Ｘから反時計まわりに所定の角度（例えば４５度）だけ回転させた方向に延伸しており、サブスリット領域７２，７３の枝スリット６３は、水平方向Ｘから時計まわりに所定の角度（例えば４５度）だけ回転させた方向に延伸している。このように構成することにより、観察者が立体表示装置１の表示画面を観察する際、左方向および右方向から観察したときの視野角特性を対称にすることができるとともに、上方向および下方向から観察したときの視野角特性を対称にすることができる。
【００３８】
透明電極層３２２は、複数の透明電極１１０，１２０に対応する部分にわたって一様に形成されている。すなわち、透明電極層３２２は、透明電極層３２４に形成された透明電極に対応する部分だけでなく、幹スリット６１，６２および枝スリット６３に対応する部分にも形成されている。
【００３９】
図７は、液晶層３００における、電圧無印加時の液晶分子Ｍの配向を表すものである。液晶層３００では、配向膜３１５，３２５との界面近傍の液晶分子Ｍの長軸方向が、配向膜３１５，３２５からの規制により基板面に略垂直となるように配向しつつ、その垂直方向から僅かに傾いた状態で保持されている。即ち、液晶層３００の配向膜３１５，３２５との界面近傍では、いわゆるプレチルトが付与されている。その垂直方向からの傾き角（プレチルト角）θは、例えば３°程度である。このようなプレチルトは、液晶層３００の配向膜３１５，３２５との界面近傍においてポリマーによって保持されており、この界面近傍の液晶分子の配向に倣って他の液晶分子（例えば液晶層３００の厚み方向における中央付近の液晶分子）も同等の方向に配向している。
【００４０】
この構成により、透明電極層３１２（透明電極１１０，１２０）、透明電極層３２２および透明電極層３２４に電圧を印加して、液晶層３００の両側の電圧の電位差が大きくなると、液晶層３００における光の透過率が増大し、開閉部１１，１２は遮断状態（閉状態）から透過状態（開状態）へ変化する。その際、上述したプレチルトにより、電圧の印加に対して液晶分子Ｍが素早く応答して倒れることにより、すばやく透過状態（開状態）へ変化する。一方、その電位差が小さくなると、液晶層３００における光の透過率が減少し、開閉部１１，１２は遮断状態（閉状態）となる。
【００４１】
なお、この例では、液晶バリア部１０はノーマリーブラック動作を行うものとしたが、これに限定されるものではなく、これに代えて、例えばノーマリーホワイト動作を行うものであってもよい。この場合には、液晶層３００に印加される電圧の電位差が大きくなると、開閉部１１，１２は遮断状態となり、その電位差が小さくなると、開閉部１１，１２は透過状態となる。なお、ノーマリーブラック動作とノーマリーホワイト動作の選択は、例えば、偏光板の偏光軸の調整により設定することができる。
【００４２】
バリア駆動部４１は、制御部４０から供給されるバリア制御信号ＣＢＲに基づいて、バリア駆動信号ＤＲＶを生成し、液晶バリア部１０の透明電極１１０（開閉部１１）、および透明電極１２０（開閉部１２）を駆動するものである。具体的には、後述するように、バリア駆動部４１は、開閉部１１を駆動する際には、透明電極１１０に対してバリア駆動信号ＤＲＶを印加し、開閉部１２を駆動する際には、透明電極１２０に対してバリア駆動信号ＤＲＶを印加する。バリア駆動信号ＤＲＶは、開閉部１１，１２を閉動作（遮断状態）させる際には、共通電圧Ｖcom（例えば０Ｖ）を有する直流信号となり、開閉部１１，１２を開動作（透過状態）させる際には、交流信号となる。
【００４３】
液晶バリア部１０では、複数の開閉部１２はグループを構成し、同じグループに属する複数の開閉部１２は、立体視表示を行う際、同じタイミングで開動作および閉動作を行うようになっている。以下に、開閉部１２のグループについて説明する。
【００４４】
図８は、開閉部１２のグループ構成例を表すものである。開閉部１２は、この例では２つのグループを構成している。具体的には、並設された複数の開閉部１２が、交互にグループＡおよびグループＢを構成するようになっている。なお、以下では、グループＡに属する開閉部１２の総称として開閉部１２Ａを適宜用い、同様に、グループＢに属する開閉部１２の総称として開閉部１２Ｂを適宜用いるものとする。
【００４５】
バリア駆動部４１は、立体視表示を行う際、同じグループに属する複数の開閉部１２が同じタイミングで開閉動作を行うように駆動する。具体的には、バリア駆動部４１は、後述するように、グループＡに属する複数の開閉部１２Ａに対してバリア駆動信号ＤＲＶＡを供給し、グループＢに属する複数の開閉部１２Ｂに対してバリア駆動信号ＤＲＶＢを供給し、時分割的に交互に開閉動作するように駆動する。
【００４６】
図９は、立体視表示および通常表示（２次元表示）を行う場合の液晶バリア部１０の状態を、断面構造を用いて模式的に表すものであり、（Ａ）は立体視表示を行う一状態を示し、（Ｂ）は立体視表示を行う他の状態を示し、（Ｃ）は通常表示を行う状態を示す。液晶バリア部１０には、開閉部１１および開閉部１２（開閉部１２Ａ，１２Ｂ）が交互に配置されている。この例では、開閉部１２Ａは、表示部２０の６つの画素Ｐｉｘに１つの割合で設けられている。同様に、開閉部１２Ｂは、表示部２０の６つの画素Ｐｉｘに１つの割合で設けられている。以下の説明では、画素Ｐｉｘは、３つのサブピクセル（ＲＧＢ）から構成されたピクセルとするが、これに限定されるものではなく、例えば、画素Ｐｉｘがサブピクセルであってもよい。また、液晶バリア部１０において、光が遮断される部分は斜線で示している。
【００４７】
立体視表示を行う場合には、表示駆動部５０に映像信号ＳＡ，ＳＢが交互に供給され、表示部２０はそれらに基づいて表示を行う。そして、液晶バリア部１０では、開閉部１２（開閉部１２Ａ，１２Ｂ）が時分割的に開閉動作を行い、開閉部１１が閉状態（遮断状態）を維持する。具体的には、映像信号ＳＡが供給された場合には、図９（Ａ）に示したように、開閉部１２Ａが開状態になるとともに、開閉部１２Ｂが閉状態になる。表示部２０では、後述するように、この開閉部１２Ａに対応した位置に配置された互いに隣接する６つの画素Ｐｉｘが、映像信号ＳＡに含まれる６つの視点映像に対応する表示を行う。これにより、観察者は、後述するように、例えば左眼と右眼とで異なる視点映像を見ることにより、表示された映像を立体的な映像として感じるようになっている。同様に、映像信号ＳＢが供給された場合には、図９（Ｂ）に示したように、開閉部１２Ｂが開状態になるとともに、開閉部１２Ａが閉状態になる。表示部２０では、後述するように、この開閉部１２Ｂに対応した位置に配置された互いに隣接する６つの画素Ｐｉｘが、映像信号ＳＢに含まれる６つの視点映像に対応する表示を行う。これにより、観察者は、後述するように、例えば左眼と右眼とで異なる視点映像を見ることにより、表示された映像を立体的な映像として感じるようになっている。立体表示装置１では、このように、開閉部１２Ａと開閉部１２Ｂを交互に開放して映像を表示することにより、後述するように、表示装置の解像度を高めることができるようになっている。
【００４８】
通常表示（２次元表示）を行う場合には、液晶バリア部１０では、図９（Ｃ）に示したように、開閉部１１および開閉部１２（開閉部１２Ａ，１２Ｂ）はともに開状態（透過状態）を維持するようになっている。これにより、観察者は、映像信号Ｓに基づいて表示部２０に表示された通常の２次元映像をそのまま見ることができる。
【００４９】
ここで、開閉部１１，１２は、本開示における「液晶バリア」の一具体例に対応する。駆動基板３１０は、本開示における「第１の基板」の一具体例に対応する。対向基板３２０は、本開示における「第２の基板」の一具体例に対応する。透明電極１１０，１２０は、本開示における「駆動電極」の一具体例に対応する。透明電極層３２２は、本開示における「第１の共通電極」の一具体例に対応し、透明電極層３２４は、本開示における「第２の共通電極」の一具体例に対応する。開閉部１２（開閉部１２Ａ，１２Ｂ）は、本発明における「第１の液晶バリア」の一具体例に対応し、開閉部１１は、本発明における「第２の液晶バリア」の一具体例に対応する。
【００５０】
［動作および作用］
続いて、本実施の形態の立体表示装置１の動作および作用について説明する。
【００５１】
（全体動作概要）
まず、図１を参照して、立体表示装置１の全体動作概要を説明する。制御部４０は、外部より供給される映像信号Ｓdispに基づいて、表示駆動部５０、バックライト駆動部４２、およびバリア駆動部４１に対してそれぞれ制御信号を供給し、これらがお互いに同期して動作するように制御する。バックライト駆動部４２は、制御部４０から供給されるバックライト制御信号ＣＢＬに基づいてバックライト３０を駆動する。バックライト３０は、面発光した光を表示部２０に対して射出する。表示駆動部５０は、制御部４０から供給される映像信号Ｓに基づいて表示部２０を駆動する。表示部２０は、バックライト３０から射出した光を変調することにより表示を行う。バリア駆動部４１は、制御部４０から供給されるバリア制御信号ＣＢＲに基づいてバリア駆動信号ＤＲＶを生成し、液晶バリア部１０に供給する。液晶バリア部１０の開閉部１１，１２（１２Ａ，１２Ｂ）は、バリア制御信号ＣＢＲに基づいて開閉動作を行い、バックライト３０から射出し表示部２０を透過した光を透過または遮断する。
【００５２】
（立体視表示の詳細動作）
次に、いくつかの図を参照して、立体視表示を行う場合の詳細動作を説明する。
【００５３】
図１０は、表示部２０および液晶バリア部１０の動作例を表すものであり、（Ａ）は、映像信号ＳＡが供給された場合を示し、（Ｂ）は映像信号ＳＢが供給された場合を示す。
【００５４】
映像信号ＳＡが供給された場合には、図１０（Ａ）に示したように、表示部２０の画素Ｐｉｘのそれぞれは、映像信号ＳＡに含まれる６つの視点映像のそれぞれに対応する画素情報Ｐ１〜Ｐ６を表示する。このとき、画素情報Ｐ１〜Ｐ６は、開閉部１２Ａ付近に配置された画素Ｐｉｘにそれぞれ表示される。映像信号ＳＡが供給された場合には、液晶バリア部１０では、開閉部１２Ａが開状態（透過状態）になるとともに、開閉部１２Ｂが閉状態になるように制御されている。表示部２０の各画素Ｐｉｘから出た光は、開閉部１２Ａによりそれぞれ角度が制限されて出力される。観察者は、例えば左眼で画素情報Ｐ３を、右眼で画素情報Ｐ４を見ることにより、立体的な映像を見ることができる。
【００５５】
映像信号ＳＢが供給された場合には、図１０（Ｂ）に示したように、表示部２０の画素Ｐｉｘのそれぞれは、映像信号ＳＢに含まれる６つの視点映像のそれぞれに対応する画素情報Ｐ１〜Ｐ６を表示する。このとき、画素情報Ｐ１〜Ｐ６は、開閉部１２Ｂ付近に配置された画素Ｐｉｘにそれぞれ表示される。映像信号ＳＢが供給された場合には、液晶バリア部１０では、開閉部１２Ｂが開状態（透過状態）になるとともに、開閉部１２Ａが閉状態になるように制御されている。表示部２０の各画素Ｐｉｘから出た光は、開閉部１２Ｂによりそれぞれ角度が制限されて出力される。観察者は、例えば左眼で画素情報Ｐ３を、右眼で画素情報Ｐ４を見ることにより、立体的な映像を見ることができる。
【００５６】
このように、観察者は、左眼と右眼とで、画素情報Ｐ１〜Ｐ６のうちの異なる画素情報を見ることとなり、観察者は立体的な映像として感じることができる。また、開閉部１２Ａと開閉部１２Ｂを時分割的に交互に開放して映像を表示することにより、観察者は、互いにずれた位置に表示される映像を平均化して見ることとなる。よって、立体表示装置１は、開閉部１２Ａのみをもつ場合に比べ、２倍の解像度を実現することが可能となる。言い換えれば、立体表示装置１の解像度は、２次元表示の場合に比べ１／３（＝１／６×２）で済むこととなる。
【００５７】
図１１は、立体表示装置１における表示動作のタイミング図を表すものであり、（Ａ）は表示部２０の動作を示し、（Ｂ）はバックライト３０の動作を示し、（Ｃ）はバリア駆動信号ＤＲＶＡの波形を示し、（Ｄ）は開閉部１２Ａにおける光の透過率Ｔを示し、（Ｅ）はバリア駆動信号ＤＲＶＢの波形を示し、（Ｆ）は開閉部１２Ｂにおける光の透過率Ｔを示す。
【００５８】
図１１（Ａ）の縦軸は、表示部２０の線順次走査方向（Ｙ方向）の位置を示している。つまり、図１１（Ａ）は、ある時刻の、Ｙ方向におけるある位置での表示部２０の動作状態を示している。図１１（Ａ）において、“ＳＡ”は表示部２０が映像信号ＳＡに基づく表示を行っている状態を示し、“ＳＢ”は表示部２０が映像信号ＳＢに基づく表示を行っている状態を示している。
【００５９】
立体表示装置１では、走査周期Ｔ１で行われる線順次走査により、開閉部１２Ａにおける表示（映像信号ＳＡに基づく表示）と開閉部１２Ｂにおける表示（映像信号ＳＢに基づく表示）とを時分割的に行う。そして、表示周期Ｔ０ごとにこれらの表示を繰り返す。ここで、表示周期Ｔ０は、例えば、１６．７［msec］（６０［Ｈｚ］の一周期分）にすることが可能である。この場合、走査周期Ｔ１は、４．２［msec］（表示周期Ｔ０の４分の１）である。
【００６０】
立体表示装置１は、タイミングｔ２〜ｔ３の期間において、映像信号ＳＡに基づく表示を行い、タイミングｔ４〜ｔ５の期間において、映像信号ＳＢに基づく表示を行う。以下に、その詳細を説明する。
【００６１】
まず、タイミングｔ１〜ｔ２の期間において、表示部２０では、表示駆動部５０から供給される駆動信号に基づき、最上部から最下部に向かって線順次走査が行われ、映像信号ＳＡに基づく表示が行われる（図１１（Ａ））。バリア駆動部４１は、バリア駆動信号ＤＲＶＡとして、交流信号を開閉部１２Ａに係る透明電極１２０に印加する（図１１（Ｃ））。これにより、液晶バリア部１０では、開閉部１２Ａの光の透過率Ｔが上昇する（図１１（Ｄ））。このタイミングｔ１〜ｔ２の期間において、バックライト３０は、消灯する（図１１（Ｂ））。これにより、観察者は、表示部２０における、映像信号ＳＢに基づく表示から映像信号ＳＡに基づく表示への過渡的な変化、および開閉部１２における光の透過率Ｔの過渡的な変化を見ることがないので、画質劣化を低減することができる。
【００６２】
そして、タイミングｔ２〜ｔ３の期間において、表示部２０では、表示駆動部５０から供給される駆動信号に基づき、最上部から最下部に向かって線順次走査が行われ、映像信号ＳＡに基づく表示が再度行われる（図１１（Ａ））。バリア駆動部４１は、タイミングｔ２において、バリア駆動信号ＤＲＶＡの電圧を反転させて開閉部１２Ａに係る透明電極１２０に印加する。液晶バリア部１０では、開閉部１２Ａは、その光の透過率Ｔが十分に高くなって開状態となる（図１１（Ｄ））。そして、バックライト３０は、このタイミングｔ２〜ｔ３の期間において点灯する（図１１（Ｂ））。これにより、観察者は、タイミングｔ２〜ｔ３の期間において、表示部２０の映像信号ＳＡに基づく表示を見ることができる。
【００６３】
次に、タイミングｔ３〜ｔ４の期間において、表示部２０では、表示駆動部５０から供給される駆動信号に基づき、最上部から最下部に向かって線順次走査が行われ、映像信号ＳＢに基づく表示が行われる（図１１（Ａ））。バリア駆動部４１は、バリア駆動信号ＤＲＶＡとして、０Ｖの直流電圧を開閉部１２Ａに係る透明電極１２０に印加するとともに、バリア駆動信号ＤＲＶＢとして、交流信号を開閉部１２Ｂに係る透明電極１２０に印加する（図１１（Ｅ））。これにより、液晶バリア部１０では、開閉部１２Ａの光の透過率Ｔが低下するとともに（図１１（Ｄ））、開閉部１２Ｂの光の透過率Ｔが上昇する（図１１（Ｆ））。このタイミングｔ３〜ｔ４の期間において、バックライト３０は消灯する（図１１（Ｂ））。これにより、観察者は、表示部２０における、映像信号ＳＡに基づく表示から映像信号ＳＢに基づく表示への過渡的な変化、および開閉部１２における光の透過率Ｔの過渡的な変化を見ることがないので、画質劣化を低減することができる。
【００６４】
そして、タイミングｔ４〜ｔ５の期間において、表示部２０では、表示駆動部５０から供給される駆動信号に基づき、最上部から最下部に向かって線順次走査が行われ、映像信号ＳＢに基づく表示が再度行われる（図１１（Ａ））。バリア駆動部４１は、タイミングｔ４において、バリア駆動信号ＤＲＶＢの電圧を反転させて開閉部１２Ｂに係る透明電極１２０に印加する。液晶バリア部１０では、開閉部１２Ｂは、その光の透過率Ｔが十分に高くなって開状態となる（図１１（Ｆ））。そして、バックライト３０は、このタイミングｔ４〜ｔ５の期間において点灯する（図１１（Ｂ））。これにより、観察者は、タイミングｔ４〜ｔ５の期間において、表示部２０の映像信号ＳＢに基づく表示を見ることができる。
【００６５】
以上の動作を繰り返すことにより、立体表示装置１は、映像信号ＳＡに基づく表示（開閉部１２Ａにおける表示）と、映像信号ＳＢに基づく表示（開閉部１２Ｂにおける表示）とを交互に繰り返して行う。
【００６６】
（液晶バリア部１０の液晶層３００の動作）
次に、開閉部１２に係る透明電極１２０（透明電極層３１２）、および透明電極層３２２，３２４に電圧を印加したときの、液晶層３００の動作について説明する。なお、以下では、開閉部１２を例に説明するが、開閉部１１（透明電極１２０および透明電極層３２２，３２４）の場合も同様である。
【００６７】
図１２は、透明電極層３２４，３２２に電圧Ｖａ，Ｖｂをそれぞれ印加した場合の、液晶層３００における、図６のＶＩ−ＶＩ矢視方向の等電位分布を表すものである。なお、図１２では、説明の便宜上、透明電極層３１２（透明電極１２０）および透明電極層３２２，３２４も併せて示している。この例では、透明電極層３２４に印加する電圧Ｖａは１０Ｖであり、透明電極層３２２に印加する電圧Ｖｂは、それぞれ、１２Ｖ（図１２（Ａ））、１０Ｖ（図１２（Ｂ））、７．５Ｖ（図１２（Ｃ））、５Ｖ（図１２（Ｄ））、０Ｖ（図１２（Ａ））である。なお、この例では、透明電極層３１２（透明電極１２０）には０Ｖが印加されている。
【００６８】
図１２に示したように、透明電極層３２２に印加する電圧Ｖｂにより、液晶層３００内の等電位分布は変化する。具体的には、例えば、電圧Ｖｂが０Ｖである場合には、液晶層３００内には、図１２（Ｅ）に示したように、透明電極層３２４において電極が形成されている部分に対応する領域において等電位面Ｌが孤を描くように、等電位分布が形成される。そして、この電圧Ｖｂを高くするに従い、図１２（Ｂ）〜（Ｄ）に示したように、液晶層３００内の等電位分布が平坦になっていく。一方、例えば、電圧Ｖｂが電圧Ｖａよりも十分高い場合には（例えばＶｂ＝１２Ｖ）、図１２（Ａ）に示したように、液晶層３００内には、透明電極層３２４において電極が形成されていない部分に対応する領域において等電位面Ｌが孤を描くように、等電位分布が形成される。
【００６９】
図１３は、液晶バリア部１０の開動作時（透過動作時）における、液晶層３００の液晶分子Ｍの配向を表すものである。この例では、電圧Ｖａ，Ｖｂは共に１０Ｖであり、透明電極層３１２には０Ｖが印加されている。なお、この条件は、電圧Ｖａ，Ｖｂが共に０Ｖであり、透明電極層３１２（透明電極１２０）には−１０Ｖが印加されている場合と同等である。図１３に示したように、液晶分子Ｍは、その長軸が等電位面Ｌと平行になるように配向する。この条件では、等電位分布が液晶層３００内においてほぼ平坦になることから、液晶層３００内の液晶分子Ｍは、その長軸が基板面に平行な方向になるように、ほぼ一様に配向する。
【００７０】
図１４は、様々な電圧Ｖｂを透明電極層３２２に印加したときの、液晶層３００の透過率Ｔを表すものである。なお、図１２，１３と同様に、電圧Ｖａは１０Ｖであり、透明電極層３１２には０Ｖが印加されている。
【００７１】
電圧Ｖｂを８Ｖから高くしていくと、図１４に示したように、液晶層３００の透過率Ｔは上昇していく。そして、この例では、電圧Ｖｂが１０．５Ｖ程度になったときに、最も透過率Ｔが高くなる。そして、電圧Ｖｂをさらに高くすると、透過率Ｔが減少する。
【００７２】
液晶層３００の透過率Ｔは、液晶分子Ｍが基板面に平行な方向に配向することにより高くなる。よって、この例は、透明電極層３２２に対して１０．５Ｖ程度の電圧Ｖｂを印加したときに、等電位分布が最も平坦になることを意味している。このように、等電位分布を平坦にするために透明電極層３２２に対して印加する電圧Ｖｂ（１０．５Ｖ）が、透明電極層３２４に印加する電圧Ｖａ（１０Ｖ）よりも若干高いのは、絶縁層３２３に起因している。すなわち、透明電極層３２２に１０．５Ｖを印加すると、透明電極層３２４のスリット部分を介して、駆動基板３１０の透明電極層３１２との間の液晶層３００および絶縁層３２３において電界が生じ、そのスリット部分における電圧が約１０Ｖになる。これにより、透明電極層３２４において、電極が配置されている部分と、配置されていない部分（スリット部分）とで電圧がほぼ同じになり、液晶層３００に印加される電圧が均一になる。このように、透明電極層３２２に印加する電圧を、透明電極層３２４に印加する電圧に比べて、絶縁層３２３の分だけ高くすることにより、等電位分布を平坦にすることができる。
【００７３】
このように、液晶バリア部１０では、透明電極層３２２を設け、開閉部１１，１２を開状態（透過状態）にする際、この透明電極層３２２に電圧を印加するようにしたので、液晶層３００における等電位分布を平坦にすることができ、透過率Ｔを高くすることができる。
【００７４】
以上に説明したように、液晶バリア部１０を動作させるときは、液晶層３００の透過率Ｔを高めるために、液晶層３００内における等電位分布が平坦になるように（例えば図１２（Ｂ））、透明電極層３２２，３２４を駆動する。具体的には、バリア駆動部４１は、上述したように、開閉部１１，１２を開状態（透過状態）にする際に、例えば、透明電極層３２２，３２４に０Ｖを印加するとともに、透明電極層３１２に対して、低レベルが−１０Ｖであり、高レベルが１０Ｖである交流信号を印加する（図１１（Ｃ），（Ｅ））。一方、液晶バリア部１０を製造する際には、プレチルトを付加するために、電界歪み（横電界）を有する等電位分布になるように（例えば図１２（Ｃ））、透明電極層３２２，３２４を駆動する。以下に、液晶バリア部１０の製造工程について説明する。
【００７５】
（液晶バリア部１０の製造工程）
図１５は、液晶バリア部１０の製造工程を表すものである。液晶バリア部１０の製造工程は、バリア製造工程Ｐ１０と、プレチルト付与工程Ｐ２０とを含んでいる。バリア製造工程Ｐ１０では、駆動基板３１０および対向基板３２０を製造し、その後、これらの駆動基板３１０および対向基板３２０の間に液晶層３００を形成し、封止する。プレチルト付与工程では、駆動基板３１０および対向基板３２０の各電極に電圧を印加しつつＵＶを照射することによりプレチルトを付与し、最後に偏光板３１６，３２６を貼り合わせる。以下にその詳細を説明する。
【００７６】
まず、バリア製造工程Ｐ１０において、駆動基板３１０を製造する（ステップＳ１１）。具体的には、まず、透明基板３１１の表面に、透明電極層３１２を例えば蒸着法やスパッタ法により成膜した後、フォトリソグラフィ法により矩形状にパターニングし、透明電極１１０，１２０を形成する。尚、平坦化膜にはコンタクトホールを設け、このコンタクトホールを介して透明電極層３１２を透明基板３１１上に形成されたメタル等からなる外周配線に電気的に接続する。そして、透明電極層３１２の表面、および透明電極層３１２における透明電極１１０，１２０の隙間（スリット）により露出した平坦化膜の表面を覆うように、例えばスピンコート法により垂直配向剤を塗布し、ベークすることにより、配向膜３１５を形成する。
【００７７】
次に、対向基板３２０を製造する（ステップＳ１２）。具体的には、まず、透明基板３２１の表面に、透明電極層３２２を例えば蒸着法やスパッタ法により成膜する。続いて、この透明電極層３２２上に、絶縁層３２３を例えばプラズマＣＶＤ法により、所望の厚みとなるように成膜する。次いで、絶縁層３２３上に、透明電極層３２４を、例えば蒸着法やスパッタ法により成膜した後、フォトリソグラフィ法によりパターニングして、幹スリット６１，６２や枝スリット６３を形成する。そして、透明電極層３２４の表面、および透明電極層３２４における幹スリット６１，６２や枝スリット６３により露出した絶縁層３２３の表面を覆うように、例えばスピンコート法により垂直配向剤を塗布し、ベークすることにより、配向膜３２５を形成する。
【００７８】
次に、液晶層形成および封止を行う（ステップＳ１３）。具体的には、まず、ステップＳ１１において製造した駆動基板３１０の周縁領域に、例えばＵＶ硬化性や熱硬化性のシール部を印刷する。そして、このシール部に囲まれた領域内に、例えばＵＶ硬化性のモノマーを混入させた液晶を滴下注入することにより液晶層３００を形成する。この後、駆動基板３１０の上に、対向基板３２０を、例えば感光性のアクリル樹脂よりなるスペーサを介して重ね合わせ、シール部を硬化させる。このようにして、駆動基板３１０および対向基板３２０の間に液晶層３００が封止される。
【００７９】
次に、プレチルト付与工程Ｐ２０において、電圧を印加する（ステップＳ２１）。具体的には、対向基板３２０において、透明電極層３２４に電圧Ｖａ（例えば１０Ｖ）を印加するとともに、透明電極層３２２に、電圧Ｖａよりも低い電圧Ｖｂ（例えば７．５Ｖ）を印加する。また、駆動基板３１０において、透明電極層３１２の全ての透明電極１１０，１２０に対して０Ｖを印加する。これにより、液晶層３００には、例えば図１２（Ｃ）に示したように電界歪み（横電界）が発生し、液晶分子Ｍは、透明電極層３２４のサブスリット領域７１〜７４のパターンに応じて傾倒する。
【００８０】
次に、ＵＶを照射する（ステップＳ２２）。具体的には、ステップＳ２１で示したように電圧を印加しつつ、ＵＶ照射を行う。
【００８１】
図１６は、プレチルトを付与するときの液晶層３００における液晶分子Ｍの状態を表すものであり、（Ａ）はＵＶ照射時の状態を示し、（Ｂ）はＵＶ照射後の状態を示す。図１６（Ａ）に示したように、透明電極層３２２，３２４、および透明電極層３１２の全ての透明電極１１０，１２０に対してそれぞれ電圧を印加し、液晶分子Ｍが傾いた状態で、ＵＶ照射を行うことにより、液晶層３００に混入したモノマーが、配向膜３１５，３２５との界面近傍において硬化する。その後、これらの全ての電極に０Ｖを印加すると、図１６（Ｂ）示したように、その界面近傍に形成されたポリマーが、液晶分子Ｍを垂直方向から僅かに傾けた状態で保持する。このようにして、液晶分子Ｍにはプレチルト角θが付与される。
【００８２】
次に、偏光板を貼り合わせる（ステップＳ２３）。具体的には、透明基板３１１のうち液晶層３００を封止している面とは反対の面に偏光板３１６を貼り合わせ、透明基板３２１のうち液晶層３００を封止している面とは反対の面に偏光板３２６を貼り合わせる。その際、偏光板３１６、３２６は、ノーマリーブラック動作を行う液晶バリアを製造する場合において、互いにクロスニコル配置となるように貼り合わせる。
【００８３】
以上により、液晶バリア部１０が完成する。
【００８４】
このように、液晶バリア部１０では、透明電極層３２４を設け、液晶バリア部１０の製造時に、この透明電極層３２４に電圧を印加するようにしたので、プレチルトを付与することができる。
【００８５】
（比較例）
次に、比較例に係る液晶バリア部１０Ｒについて説明し、その比較例と対比して本実施の形態の作用を説明する。
【００８６】
本比較例は、対向基板において、透明電極層３２２を含まない対向基板３２０Ｒを用いて、液晶バリア部１０Ｒを構成したものである。その他の構成は、本実施の形態（図１など）と同様である。
【００８７】
図１７は、本比較例に係る液晶バリア部１０Ｒの一構成例を表すものである。液晶バリア部１０Ｒは、対向基板３２０Ｒを有している。対向基板３２０Ｒは、本実施の形態に係る対向基板３２０において、透明電極層３２２および絶縁層３２３を省いたものである。
【００８８】
図１８は、本比較例に係る液晶バリア部１０Ｒの開動作時（透過動作時）における、液晶層３００の液晶分子Ｍの配向を表すものである。本比較例に係る液晶バリア部１０Ｒでは、本実施の形態に係る液晶バリア部１０と異なり、対向基板に透明電極層３２２がないため、図１８に示したように、液晶層３００内において、等電位分布を一様とすることができず、透明電極層３２４の電極の各端部に対応する部分Ｚにおいて電界歪み（横電界）が発生する。液晶分子Ｍは、その長軸が等電位面と平行になるように配向するため、この部分Ｚにおいて、液晶分子Ｍは、基板面に対して平行な向きからずれ、液晶層３００の透過率Ｔが低下してしまう。具体的には、図１４に点線で示したように、本比較例に係る液晶バリア部１０Ｒの透過率Ｔは低い値（例えば０．８８程度）になってしまう。
【００８９】
一方、本実施の形態に係る液晶バリア部１０では、透明電極層３２２を設け、開閉部１１，１２を開状態（透過状態）にする際に、透明電極層３２２に電圧を印加するようにしたので、この部分Ｚにおいて電界歪み（横電界）の発生を抑えることができるため、液晶層３００の透過率Ｔの低下を抑えることができる。
【００９０】
［効果］
以上のように本実施の形態では、透明電極層３２２を設け、開閉部を開状態（透過状態）にする際に、この透明電極層３２２に電圧を印加するようにしたので、透明電極層３２４における電極部分だけでなく、スリット部分にも十分な電圧を印加することができるようになるため、液晶層における等電位分布を平坦にすることができ、透過率を高くすることができる。
【００９１】
また、本実施の形態では、透明電極層３２４を設け、液晶バリア部の製造時に、この透明電極層３２４に任意の電圧を印加できるようにしたので、プレチルト付与時の液晶配向を安定させることができ、動作時において、このプレチルトによりバリアの応答特性を改善することができる。
【００９２】
また、本実施の形態では、液晶バリア部の製造時に、透明電極層３２２にも任意の電圧を印加するようにしたので、印加電圧によりプレチルト角を調整することができる。
【００９３】
［変形例１］
上記実施の形態では、透明電極層３２４は、４つのサブスリット領域（ドメイン）７１〜７４を有するようにしたが、これに限定されるものではない。以下に、この透明電極層が２つのサブスリット領域を有する場合を例に説明する。
【００９４】
図１９は、本変形例に係る液晶バリア部における透明電極層３１２，４２４の一構成例を表すものである。透明電極層４２４の、透明電極１１０，１２０に対応する部分には、それぞれ、幹スリット６１により区切られた２つのサブスリット領域８１，８２が設けられている。
【００９５】
枝スリット６３は、各サブスリット領域８１，８２において、幹スリット６１から延びるように形成されている。サブスリット領域８１，８２の枝スリット６３は、各領域内において同じ方向に延伸するとともに、サブスリット領域ごとに異なる方向に延伸している。サブスリット領域８１の枝スリット６３の延伸方向と、サブスリット領域８２の枝スリット６３の延伸方向とは、垂直方向Ｙを軸として対して対称になっている。この例では、具体的には、サブスリット領域８１の枝スリット６３は、水平方向Ｘから反時計まわりに所定の角度（例えば４５度）だけ回転させた方向に延伸しており、サブスリット領域８２の枝スリット６３は、水平方向Ｘから時計まわりに所定の角度（例えば４５度）だけ回転させた方向に延伸している。
【００９６】
この場合でも、開閉部を開状態（透過状態）にする際に、透明電極層３２２に電圧を印加することにより、液晶層３００における等電位分布を平坦にすることができ、透過率Ｔを高くすることができるとともに、液晶バリア部の製造時に、透明電極層４２４に電圧を印加することにより、プレチルトを付与することができる。
【００９７】
［変形例２］
上記実施の形態では、透明電極層３２４は枝スリット６３を有するようにしたが、これに限定されるものではなく、これに代えて、例えば、複数の枝状の電極を並設してもよい。以下に、その詳細を説明する。
【００９８】
図２０は、本変形例に係る液晶バリア部における透明電極層３１２，３２４Ｂの一構成例を表すものである。透明電極層３２４Ｂは、透明電極１１０，１２０に対応する部分において、透明電極１１０，１２０の延伸方向に延伸する幹部分６１Ｂを有している。また、透明電極層３２４Ｂには、その幹部分６１Ｂの延伸方向に沿って複数のサブ電極領域７０Ｂが並設されている。各サブ電極領域７０Ｂは、幹部分６２Ｂと、枝部分６３Ｂとを有している。幹部分６２Ｂは、幹部分６１Ｂと交差する方向に延伸するように形成されており、この例では、水平方向Ｘの方向に延伸している。各サブ電極領域７０Ｂには、幹部分６１Ｂおよび幹部分６２Ｂにより区切られた４つの枝領域（ドメイン）７１Ｂ〜７４Ｂが設けられている。枝領域７１Ｂ〜７４Ｂの枝部分６３Ｂは、各領域内において同じ方向に延伸している。これらの枝部分６３Ｂの間の領域が、上記実施の形態における枝スリット６３に対応する。なお、図２０では、水平方向Ｘに隣接するサブ電極領域７０Ｂは、互いに接続されていないが、これに限定されるものではなく、例えば、幹部分６２Ｂを延ばすことにより互いに接続してもよい。
【００９９】
図２１は、上記変形例１に係る液晶バリア部に、本変形例を適用した場合の、透明電極層３１２，４２４Ｂの一構成例を表すものである。透明電極層４２４Ｂの、透明電極１１０，１２０に対応する部分には、それぞれ、幹部分６１Ｂにより区切られた２つの枝領域８１Ｂ，８２Ｂが設けられている。枝領域８１Ｂ，８２Ｂの枝部分６３Ｂは、各領域内において同じ方向に延伸している。これらの枝部分６３Ｂの間の領域が、上記実施の形態における枝スリット６３に対応する。
【０１００】
［変形例３］
上記実施の形態では、バリア駆動部４１は、液晶バリア部１０を動作させる際、透明電極層３２２および透明電極層３２４の両方を駆動したが、これに限定されるものではなく、これに代えて、例えば、透明電極層３２２のみを駆動してもよい。この場合、例えば、透明電極層３２４はフローティング状態にすることが可能である。
【０１０１】
［変形例４］
上記実施の形態では、開閉部１１，１２が開閉動作を行う際、透明電極層３２２，３２４にともに０Ｖを印加したが、これに限定されるものではなく、これに代えて、０Ｖ以外の電圧を印加してもよいし、透明電極層３２２および透明電極層３２４に、互いに異なる電圧を印加してもよい。
【０１０２】
［変形例５］
上記実施の形態では、液晶バリア部１０の製造時に、透明電極層３２２に対して電圧Ｖａよりも低い電圧Ｖｂを印加したが、これに限定されるものではなく、これに代えて、電圧Ｖａと等しい電圧Ｖｂ（例えば１０Ｖ）を印加してもよい。この場合でも、例えば図１２（Ｂ）に示したように電界歪（横電界）が発生するため、プレチルトを付与することができる。
【０１０３】
［変形例６］
上記実施の形態では、液晶バリア部１０の製造時に、透明電極層３２２および透明電極層３２４の両方に電圧を印加したが、これに限定されるものではなく、これに代えて、例えば、透明電極層３２４のみを駆動してもよい。この場合、例えば、透明電極層３２２はフローティング状態にすることが可能である。
【０１０４】
［変形例７］
上記実施の形態では、透明電極層３２２は、例えば図６（Ｂ）に示したように、全面にわたって一様に形成されたものとしたが、これに限定されるものではなく、これに代えて、例えば、図２２に示したように、透明電極層３２４において枝スリット６３が形成されている部分に対応する位置に電極（透明電極層３２２Ｂ）を形成してもよい。その際、透明電極層３２２Ｂの電極と、透明電極層３２４の電極とは、図２２において部分Ｐｏｗで示したように、互いにオーバーラップするように構成されるのが望ましい。
【０１０５】
以上、実施の形態およびいくつかの変形例を挙げて本技術を説明したが、本技術はこれらの実施の形態等には限定されず、種々の変形が可能である。
【０１０６】
例えば、上記実施の形態等では、立体表示装置１のバックライト３０、表示部２０、液晶バリア部１０は、この順に配置したが、これに限定されるものではなく、これに代えて、図２３に示したように、バックライト３０、液晶バリア部１０、表示部２０の順に配置してもよい。
【０１０７】
図２４は、本変形例に係る表示部２０および液晶バリア部１０の動作例を表すものであり、（Ａ）は、映像信号ＳＡが供給された場合を示し、（Ｂ）は映像信号ＳＢが供給された場合を示す。本変形例では、バックライト３０から射出した光は、まず液晶バリア部１０に入射する。そして、その光のうち、開閉部１２Ａ，１２Ｂを透過した光が表示部２０において変調されるとともに、６つの視点映像を出力するようになっている。
【０１０８】
また、例えば、上記実施の形態等では、液晶バリアの開閉部はＹ軸方向に延伸するものとしたが、これに限定されるものではなく、これに代えて、例えば、図２５（Ａ）に示したステップバリア形式や、図２５（Ｂ）に示した斜めバリア形式であってもよい。ステップバリア形式については、例えば、特開２００４−２６４７６２に記載がある。また、斜めバリア形式については、例えば、特開２００５−８６５０６に記載がある。
【０１０９】
また、例えば、上記実施の形態等では、開閉部１２は２つのグループを構成したが、これに限定されるものではなく、これに代えて、例えば３つ以上のグループを構成するようにしてもよい。これにより、表示の分解能をさらに改善することができる。以下に、その詳細を説明する。
【０１１０】
図２６は、開閉部１２が３つのグループＡ，Ｂ，Ｃを構成する場合の例を表すものである。上記実施の形態と同様に、開閉部１２ＡはグループＡに属する開閉部１２を示し、開閉部１２ＢはグループＢに属する開閉部１２を示し、開閉部１２ＣはグループＣに属する開閉部１２を示す。
【０１１１】
このように、開閉部１２Ａ，１２Ｂ，１２Ｃを時分割的に交互に開放して映像を表示することにより、この変形例に係る立体表示装置は、開閉部１２Ａのみをもつ場合に比べ、３倍の解像度を実現することが可能となる。言い換えれば、この立体表示装置の解像度は、２次元表示の場合に比べ１／２（＝１／６×３）で済むこととなる。
【０１１２】
また、例えば、上記実施の形態等では、映像信号ＳＡ，ＳＢが６つの視点映像を含むようにしたが、これに限定されるものではなく、５つ以下の視点映像や、７つ以上の視点映像を含むようにしてもよい。この場合、図９に示した液晶バリア部１０の開閉部１２Ａ，１２Ｂと、画素Ｐｉｘとの関係も変化する。すなわち、例えば、映像信号ＳＡ，ＳＢが５つの視点映像を含む場合には、開閉部１２Ａは、表示部２０の５つの画素Ｐｉｘに１つの割合で設けることが望ましく、同様に、開閉部１２Ｂは、表示部２０の５つの画素Ｐｉｘに１つの割合で設けることが望ましい。
【０１１３】
また、例えば、上記実施の形態等では、表示部２０は液晶表示部としたが、これに限定されるものではなく、これに代えて、例えば有機ＥＬ（Electro Luminescence）などを用いたＥＬ表示部であってもよい。この場合、図１に示したバックライト駆動部４２およびバックライト３０は不要となる。
【０１１４】
なお、本技術は以下のような構成とすることができる。
【０１１５】
（１）映像を表示する表示部と、
光の透過と遮断とを切り換え可能な複数の液晶バリアを有する液晶バリア部と
を備え、
前記液晶バリア部は、
液晶層と、
前記液晶層を挟むように構成された第１の基板および第２の基板と
を有し、
前記第１の基板は、前記液晶バリアに対応する位置にそれぞれ形成された駆動電極を有し、
前記第２の基板は、
第１の共通電極と、
前記第１の共通電極と前記液晶層との間に形成された第２の共通電極と
を有する
表示装置。
【０１１６】
（２）前記液晶バリア部の各液晶バリアを駆動する駆動部を備え、
前記駆動部は、前記第１の共通電極および前記第２の共通電極のうちの、少なくとも第１の共通電極を駆動する
前記（１）に記載の表示装置。
【０１１７】
（３）前記駆動部は、前記第２の共通電極をも駆動する
前記（２）に記載の表示装置。
【０１１８】
（４）前記第２の共通電極は、前記液晶バリアに対応する位置に複数のスリットを有する
前記（１）から（３）のいずれかに記載の表示装置。
【０１１９】
（５）前記液晶バリアは所定の方向に延伸するように形成され、
前記第２の共通電極は、
前記液晶バリアに対応する位置に形成された、前記所定の方向に延伸する幹スリット部分と、
前記幹部分の両側に形成された複数の枝スリット部分と
を有する
前記（４）に記載の表示装置。
【０１２０】
（６）前記液晶バリアは所定の方向に延伸するように形成され、
前記第２の共通電極は、
前記液晶バリアに対応する位置に形成された、前記所定の方向に延伸する幹部分と、
前記幹部分の両側に形成された複数の枝部分と
を有し、
前記複数の枝部分が前記複数のスリットを構成する
前記（４）に記載の表示装置。
【０１２１】
（７）前記第１の共通電極および前記第２の共通電極の間に配置された絶縁層を
さらに備えた
前記（１）から（６）のいずれかに記載の表示装置。
【０１２２】
（８）３次元映像表示モードおよび２次元映像表示モードを含む複数の表示モードを有し、
前記複数の液晶バリアは、複数の第１の液晶バリアおよび複数の第２の液晶バリアを有し、
前記３次元映像表示モードでは、前記表示部が複数の異なる視点映像を表示し、前記複数の第１の液晶バリアが透過状態になるとともに、前記複数の第２の液晶バリアが遮断状態になることにより、３次元映像を表示し、
前記２次元映像表示モードでは、前記表示部が１つの視点映像を表示し、前記複数の第１の液晶バリアおよび前記複数の第２の液晶バリアが透過状態になることにより、２次元映像を表示する
前記（１）から（７）のいずれかに記載の表示装置。
【０１２３】
（９）前記複数の第１の液晶バリアは、複数のバリアグループにグループ分けされ、
前記３次元映像表示モードでは、前記複数の第１の液晶バリアは、バリアグループごとに、時分割的に透過状態および遮断状態との間で切り換わる
前記（８）に記載の表示装置。
【０１２４】
（１０）前記表示部は液晶表示部であり、
バックライトをさらに備え、
前記液晶表示部は、前記バックライトと前記液晶バリア部との間に配置されている
前記（１）から（９）のいずれかに記載の表示装置。
【０１２５】
（１１）前記表示部は液晶表示部であり、
バックライトをさらに備え、
前記液晶バリア部は、前記バックライトと前記液晶表示部との間に配置されている
前記（１）から（９）のいずれかに記載の表示装置。
【０１２６】
（１２）光の透過と遮断とを切り換え可能な複数の液晶バリアを駆動し、
前記液晶バリアの駆動に同期して映像を表示し、
前記液晶バリアを駆動する際、
前記液晶バリアに対応する位置にそれぞれ形成された複数の駆動電極に駆動信号を印加し、
前記複数の駆動電極に対して液晶層を介して離間して形成された第１の共通電極および前記第１の共通電極と前記液晶層との間に形成された第２の共通電極のうちの、少なくとも前記第１の共通電極に第１の共通信号を印加する
表示装置の駆動方法。
【０１２７】
（１３）さらに、前記第２の共通電極に第２の共通信号を印加する
前記（１２）に記載の表示装置の駆動方法。
【０１２８】
（１４）前記第１の共通信号および前記第２の共通信号は、互いに等しい直流電圧を有する直流信号であり、
前記駆動信号は、前記直流電圧を中心電圧とした交流駆動信号である
前記（１３）に記載の表示装置の駆動方法。
【０１２９】
（１５）前記第１の共通信号は直流信号であり、
前記駆動信号は、前記共通信号の直流電圧を中心電圧とした交流駆動信号である
前記（１２）に記載の表示装置の駆動方法。
【０１３０】
（１６）液晶層と、
前記液晶層を挟むように構成された第１の基板および第２の基板と
を備え、
前記第１の基板は複数の駆動電極を有し、
前記第２の基板は、
第１の共通電極と、
前記第１の共通電極と前記液晶層との間に形成された第２の共通電極と
を有する
バリア装置。
【０１３１】
（１７）第１の基板に複数の駆動電極を形成する工程と、
第２の基板に、第１の共通電極を形成し、その上に前記第１の共通電極と離間して第２の共通電極を形成する工程と、
前記第１の基板と、前記第２の基板の、前記第１の共通電極および前記第２の共通電極が形成された側との間に液晶層を封止する工程と、
少なくとも前記第２の共通電極および前記複数の駆動電極を通じて、前記液晶層に電圧を印加しつつ、前記液晶層を露光することにより、前記液晶層にプレチルトを付与する工程と
を含むバリア装置の製造方法。
【０１３２】
（１８）前記液晶層にプレチルトを付与する工程では、前記第１の共通電極にも、電圧を印加する
前記（１７）に記載のバリア装置の製造方法。
【０１３３】
（１９）前記第１の共通電極と前記駆動電極との間の電位差が、前記第２の共通電極と前記駆動電極との間の電位差よりも小さくなるように、前記第１の共通電極および前記第２の共通電極に電圧を印加する
前記（１８）に記載のバリア装置の製造方法。
【０１３４】
（２０）前記第１の共通電極の電圧と前記第２の共通電極の電圧が等しい
前記（１８）に記載のバリア装置の製造方法。
【符号の説明】
【０１３５】
１，１Ｂ…立体表示装置、１０，１０Ａ，１０Ｂ…液晶バリア部、１１，１２，１２Ａ，１２Ｂ…開閉部、２０…表示部、３０…バックライト、４０…制御部、４１…バリア駆動部、４２…バックライト駆動部、５０…表示駆動部、５１…タイミング制御部、５２…ゲートドライバ、５３…データドライバ、６１，６２…幹スリット、６１Ｂ…幹部分、６３…枝スリット、６３Ｂ…枝部分、７０…スリット領域、７０Ｂ…サブ電極領域、７１〜７４，８１，８２…サブスリット領域、７１Ｂ〜７４Ｂ，８１Ｂ，８２Ｂ…枝領域、１１０，１２０…透明電極、２０１，２０５…透明基板、２０２…画素電極、２０３…液晶層、２０４…対向電極、２０６ａ，２０６ｂ…偏光板、２０７…駆動基板、２０８…対向基板、３１０…駆動基板、３１１，３２１…透明基板、３１２，３２２，３２４，４２４，４２４Ｂ…透明電極層、３１５，３２５…配向膜、３１６，３２６…偏光板、３２０…対向基板、３２３…絶縁層、Ａ，Ｂ…グループ、Ｃ…保持容量素子、ＣＢＬ…バックライト制御信号、ＣＢＲ…バリア制御信号、Ｄ…データ線、ＤＲＶ…バリア駆動信号、Ｅ１，Ｅ２…幅、Ｇ…ゲート線、ＬＣ…液晶素子、Ｌ…等電位面、Ｍ…液晶分子、Ｐix…画素、Ｐ１〜Ｐ６…画素情報、Ｐ１０…バリア製造工程、Ｐ２０…プレチルト付与工程、Ｓ，Ｓ１，ＳＡ，ＳＢ，Ｓdisp…映像信号、Ｔｒ…ＴＦＴ素子、Ｔ０…表示周期、Ｔ１…走査周期、Ｖａ，Ｖｂ…電圧、θ…プレチルト角。
【図１】
0005659878.tif 000002
【図２】
0005659878.tif 000003
【図３】
0005659878.tif 000004
【図４】
0005659878.tif 000005
【図５】
0005659878.tif 000006
【図６】
0005659878.tif 000007
【図７】
0005659878.tif 000008
【図８】
0005659878.tif 000009
【図９】
0005659878.tif 000010
【図１０】
0005659878.tif 000011
【図１１】
0005659878.tif 000012
【図１２】
0005659878.tif 000013
【図１３】
0005659878.tif 000014
【図１４】
0005659878.tif 000015
【図１５】
0005659878.tif 000016
【図１６】
0005659878.tif 000017
【図１７】
0005659878.tif 000018
【図１８】
0005659878.tif 000019
【図１９】
0005659878.tif 000020
【図２０】
0005659878.tif 000021
【図２１】
0005659878.tif 000022
【図２２】
0005659878.tif 000023
【図２３】
0005659878.tif 000024
【図２４】
0005659878.tif 000025
【図２５】
0005659878.tif 000026
【図２６】
0005659878.tif 000027